(57)【要約】【課題】室内の居住者の位置や人数の変化に関わらず、容易に輻射暖房の照射方向の設定ができる空気調和機を提供する。【解決手段】輻射熱で人を暖める輻射暖房手段２と、輻射暖房手段２の出力を制御する輻射出力制御手段１０と、輻射暖房手段２の照射方向を変える照射方向可動手段３と、輻射暖房手段２の照射方向を設定する照射方向設定手段１１と、設定された照射方向の少なくとも１つを記憶する照射方向記憶手段１３と、記憶された中から希望の照射方向を選択する照射方向選択手段１４とを備え、照射方向可動手段３は、照射方向選択手段１４で選択された照射方向になるように輻射暖房手段２を制御するもので、居住者は照射方向選択手段１４で希望の照射方向を選択するだけで良く、照射方向を一から調節する必要が無い。【選択図】図３
2005156116.tif 000002
【特許請求の範囲】
【請求項１】
室内の空気を冷暖房して送風する室内ユニットと、前記室内ユニットに設けられ赤外線の輻射熱で人を暖める輻射暖房手段と、前記輻射暖房手段の出力を制御する輻射出力制御手段と、前記輻射暖房手段の照射方向を変える照射方向可動手段と、居住者が前記輻射暖房手段の照射方向を設定する照射方向設定手段と、設定された照射方向の少なくとも１つを記憶する照射方向記憶手段と、記憶された照射方向の中から希望の照射方向を選択する照射方向選択手段とを備え、前記照射方向可動手段は、前記照射方向選択手段で選択された照射方向になるように前記輻射暖房手段を制御することを特徴とする空気調和機。
【請求項２】
室内の空気を冷暖房して送風する室内ユニットと、前記室内ユニットに複数設けられ赤外線の輻射熱で人を暖める輻射暖房手段と、前記複数の輻射暖房手段の各出力を個別に制御する輻射出力制御手段と、前記複数の輻射暖房手段の各照射方向を個別に変える照射方向可動手段と、居住者が前記複数の輻射暖房手段の各照射方向を設定する照射方向設定手段とを備え、前記照射方向可動手段は、前記照射方向設定手段で設定された照射方向になるように前記複数の各輻射暖房手段を制御することを特徴とした空気調和機。
【請求項３】
居住者が設定する複数の輻射暖房手段の各照射方向の組み合わせの少なくとも１つを記憶する照射方向記憶手段と、記憶された照射方向の組み合わせの中から希望の照射方向の組み合わせを選択する照射方向選択手段とを備え、照射方向可動手段は、前記照射方向選択手段で選択された照射方向の組み合わせになるように前記複数の各輻射暖房手段を制御することを特徴とする請求項２記載の空気調和機。
【請求項４】
輻射暖房手段は発熱体を備えると共に、前記発熱体から放射される輻射熱をスポット的に照射することを特徴とする請求項１〜３のいずれか１項記載の空気調和機。
【発明の詳細な説明】
【技術分野】
【０００１】
本発明は、空気調和機に関するもので、特に輻射暖房機能付きの空気調和機に関するものである。
【背景技術】
【０００２】
従来この種の輻射暖房機能付きの空気調和機は、ヒートポンプ式冷暖房機の壁掛け室内ユニットの下部に電気式の輻射暖房機を取り付け、輻射暖房機の照射方向を複数段に回動できるようにし、照射方向をある一方向に固定できるようになっていた（例えば、特許文献１参照）。
【特許文献１】実用新案登録第３０６４６８２号公報
【発明の開示】
【発明が解決しようとする課題】
【０００３】
しかしながら、前記従来の構成では、居住者の室内での位置や人数が変化する度に、輻射暖房機の照射方向を居住者が調節しなければならないという課題を有していた。また、複数の人が在室している時に、照射域以外に位置する居住者は輻射暖房の暖房効果を得ることができないという課題を有していた。
【０００４】
本発明は、前記従来の課題を解決するもので、居住者の室内での位置や人数が変化した場合でも、輻射暖房の照射方向を操作する手間をできるだけ少なくすると共に、複数の居住者が同時に快適な輻射暖房感を得ることができる空気調和機を提供することを目的とする。
【課題を解決するための手段】
【０００５】
前記従来の課題を解決するために、本発明の空気調和機は、室内ユニットに設けられ赤外線の輻射熱で人を暖める輻射暖房手段と、前記輻射暖房手段の出力を制御する輻射出力制御手段と、前記輻射暖房手段の照射方向を変える照射方向可動手段と、居住者が前記輻射暖房手段の照射方向を設定する照射方向設定手段と、設定された照射方向の少なくとも１つを記憶する照射方向記憶手段と、記憶された照射方向の中から希望の照射方向を選択する照射方向選択手段とを備え、前記照射方向可動手段は、前記照射方向選択手段で選択された照射方向になるように前記輻射暖房手段を制御するもので、居住者の位置が変化してもそれが予め記憶された輻射暖房手段の照射方向にあれば、照射方向選択手段でその方向を選択するだけで良く、照射方向を一から調節する手間をかけることなく再現されることになり、より簡易且つ確実に快適な輻射暖房感を提供することができる。
【０００６】
また、本発明の空気調和機は、室内ユニットに複数設けられ赤外線の輻射熱で人を暖める輻射暖房手段と、前記複数の輻射暖房手段の各出力を個別に制御する輻射出力制御手段と、前記複数の輻射暖房手段の各照射方向を個別に変える照射方向可動手段と、居住者が前記複数の輻射暖房手段の各照射方向を設定する照射方向設定手段とを備え、前記照射方向可動手段は、前記照射方向設定手段で設定された照射方向になるように前記複数の各輻射暖房手段を制御するもので、室内に複数人在室している場合でも、各居住者に対して個別に輻射暖房を照射することができるので、複数の居住者に対して同時に快適な輻射暖房感を提供することができる。
【発明の効果】
【０００７】
本発明の空気調和機は、居住者の室内での位置や人数が変化しても、輻射暖房の照射方向を操作する手間をできるだけ少なくし且つ確実に快適な輻射暖房感を提供することがで
きると共に、複数の各居住者に対しても個別に輻射暖房を照射して快適な輻射暖房感を提供することができる。
【発明を実施するための最良の形態】
【０００８】
第１の発明は、室内の空気を冷暖房して送風する室内ユニットと、前記室内ユニットに設けられ赤外線の輻射熱で人を暖める輻射暖房手段と、前記輻射暖房手段の出力を制御する輻射出力制御手段と、前記輻射暖房手段の照射方向を変える照射方向可動手段と、居住者が前記輻射暖房手段の照射方向を設定する照射方向設定手段と、設定された照射方向の少なくとも１つを記憶する照射方向記憶手段と、記憶された照射方向の中から希望の照射方向を選択する照射方向選択手段とを備え、前記照射方向可動手段は、前記照射方向選択手段で選択された照射方向になるように前記輻射暖房手段を制御するもので、居住者の位置が変化してもそれが予め記憶された輻射暖房手段の照射方向にあれば、照射方向選択手段でその方向を選択するだけで良く、照射方向を一から調節する手間をかけることなく再現されることになり、より簡易且つ確実に快適な輻射暖房感を提供することができる。
【０００９】
第２の発明は、室内の空気を冷暖房して送風する室内ユニットと、前記室内ユニットに複数設けられ赤外線の輻射熱で人を暖める輻射暖房手段と、前記複数の輻射暖房手段の各出力を個別に制御する輻射出力制御手段と、前記複数の輻射暖房手段の各照射方向を個別に変える照射方向可動手段と、居住者が前記複数の輻射暖房手段の各照射方向を設定する照射方向設定手段とを備え、前記照射方向可動手段は、前記照射方向設定手段で設定された照射方向になるように前記複数の各輻射暖房手段を制御するもので、室内に複数人在室している場合でも、各居住者に対して個別に輻射暖房を照射することができるので、複数の居住者に対して同時に快適な輻射暖房感を提供することができる。
【００１０】
第３の発明は、特に、第２の発明の居住者が設定する複数の輻射暖房手段の各照射方向の組み合わせの少なくとも１つを記憶する照射方向記憶手段と、記憶された照射方向の組み合わせの中から希望の照射方向の組み合わせを選択する照射方向選択手段とを備え、照射方向可動手段は、前記照射方向選択手段で選択された照射方向の組み合わせになるように前記複数の各輻射暖房手段を制御するもので、複数の居住者の位置が変化しても、それが予め記憶された各輻射暖房手段の照射方向の組み合わせであれば、照射方向選択手段でその組み合わせを選択するだけで良く、各輻射暖房手段の照射方向をそれぞれ一から調節する手間を要することなく再現されることになり、より簡易且つ確実に複数の居住者に対して快適な輻射暖房感を提供することができる。
【００１１】
第４の発明は、特に、第１〜３のいずれか１つの発明の輻射暖房手段は発熱体を備えると共に、前記発熱体から放射される輻射熱をスポット的に照射するもので、室内ユニットからの温風が到達しにくい足元等でも輻射熱が集中されることでより強力に暖めることが可能になり、室内の居場所に関係なくより快適な輻射暖房感を提供することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室内ユニットの断面図で、図２は、同室内ユニットの外観図で、図３は、同室内ユニットの輻射暖房手段の制御方法を示すブロック図である。
【００１４】
図１、図２において、１は、室外機（図示せず）と接続される壁掛けタイプの室内ユニット、２は輻射熱を放射する輻射暖房手段、３は輻射熱の照射方向を変える照射方向可動手段、４は空気の熱交換を行なう熱交換器、５は熱交換器４に室内の空気を流す送風ファ
ン、６は室内の温度を検出する室内気温検出手段である。輻射暖房手段２は、発熱体２ａと、発熱体２ａで発生する熱を反射させる反射板２ｂと、赤外線透過パネル２ｃを備えている。
【００１５】
発熱体２ａは、非常に発熱面積が小さく１０００℃以上の発熱温度を有する、例えばハロゲンランプや、カーボンランプ等の赤外線と共に可視光も発するランプ等からなり、室内ユニット１の狭い空間にも設置して一体化することが可能な大きさのものである。なお、発熱体２ａは、石英ガラス等の赤外線を透過するバルブ２ｄで密閉されており、このバルブ２ｄ内には不活性ガスを封入し、発熱体２ａが酸化等で劣化するのを防止している。
【００１６】
また、反射板２ｂは、輻射熱を所定方向に反射集熱する凹面形状を有するもので、パラボラ状の形状を有しており、そのパラボラの中心部に発熱体２ａを配置することにより、発熱体２ａから放射される輻射熱を所定方向により効率よく反射集光するものである。なお、反射板２ｂの形状はパラボラ状に何ら限定するものではなく、半円筒の凹面形状を有するものでもよい。
【００１７】
また、赤外線透過パネル２ｃは、発熱体２ａから放射される赤外線を透過し、可視光線を部分的に遮断するフィルター機能をもち、発熱体２ａから照射される可視光が目に入ることによる眩しさを抑えることができ、目に対する不快感をなくす役割をする。
【００１８】
これらの構成により、従来のように室内ユニットの前面パネルに低温且つ発熱面積が大きい輻射パネルを一体化した場合に比べると、単位面積当たりの放射される輻射熱が非常に大きく、且つ、輻射熱が拡散しないようにスポット照射ができるため、任意の人の位置に対してより強力な輻射熱を到達させることができる。
【００１９】
また、照射方向可動手段３は、輻射暖房手段２を室内ユニット１本体に支持するとともに、輻射暖房手段２の上下方向の角度と左右方向の角度を変えるものであり、室内の任意の人位置方向に輻射熱を放射することができる。
【００２０】
以上のように、輻射暖房手段２は発熱体２ａから放射される輻射熱をスポット的に照射することにより、温風が到達しにくい足元等でも輻射熱が集中されることでより強力に暖めることが可能となり、室内の居場所に関係なくより快適な輻射暖房感を提供することができる。
【００２１】
次に、本実施の形態における空気調和機の制御について、図３を用いて説明する。
【００２２】
図３において、７は、リモコン（図示せず）の操作スイッチ等で構成され居住者が室内気温の目標値を設定する目標温度設定手段、８は、室内気温検出手段６で検出された室内気温が目標温度設定手段７で設定された設定温度になるように空気調和機の暖房能力を制御する空調能力制御手段、９は、居住者が輻射暖房手段２のＯＮ／ＯＦＦ及び出力の強弱を設定する輻射出力設定手段、１０は、輻射出力設定手段９で設定された出力になるように輻射暖房手段２の出力を制御する輻射出力制御手段、１１は、居住者が輻射暖房手段２の照射方向を調節、設定する照射方向設定手段、３は、照射方向設定手段１１で設定された照射方向になるように輻射暖房手段２の照射方向を可動する照射方向可動手段、１３は、照射方向設定手段１１で設定された照射方向を記憶する照射方向記憶手段、１４は、照射方向記憶手段１３によって記憶された照射方向の中から居住者が設定したい照射方向を選択する照射方向選択手段である。
【００２３】
以上のように構成された空気調和機について、以下その動作、作用を説明する。
【００２４】
例えば、居住者は、目標温度設定手段７により好みの室内気温を設定する。室内気温が設定温度に達しても、室内ユニット１からの温風のみでは足元等が十分暖まらず、冷える場合には、さらに、リモコンの操作スイッチ等で構成された輻射出力設定手段９により輻射暖房の出力をＯＮし、足元等が十分暖かくなるように輻射の出力の強弱を調整する。この際、輻射暖房の照射方向が冷える部分にちょうど照射されるように、居住者は、リモコンの操作スイッチ等で構成された照射方向設定手段１１により、照射方向の上下、左右の方向を調節する。この照射方向設定手段１１からの出力信号を基に、例えばステッピングモータ（図示せず）等で構成された照射方向可動手段３によって輻射暖房手段２の向きを上下、左右に変える。
【００２５】
さらに、照射方向を調節した後、居住者の居る場所が通常よく滞在する位置の場合、居住者は現在の照射方向を記憶させることができる。居住者がリモコンの操作スイッチ等で現在の照射方向の記憶を指示すると、照射方向のデータを記憶するメモリ等で構成された照射方向記憶手段１３によって照射方向の現在値が記憶される。
【００２６】
また、居住者が通常よく滞在する位置が複数ある場合や家族の各人毎に通常よく滞在する位置が異なる場合には、それぞれの位置に対応した照射方向を照射方向記憶手段１３に予め記憶させておくことが可能である。そして、居住者の位置や使用する居住者が変化した際には、記憶された複数の照射方向の中から居住者が希望する照射方向をリモコンの操作スイッチ等で構成された照射方向選択手段１４によって選択することにより、記憶された照射方向を再度調節操作する手間を要することなく容易に再現することができる。
【００２７】
以上のように、本実施の形態においては、照射方向記憶手段１３によってよく使用する照射方向を予め記憶しておくことにより、居住者の位置や使用する居住者が変化しても、照射方向設定手段１１によって一から照射方向を調節する手間を要することなく、リモコン等で希望する照射方向を選択するという容易な操作によって最適な照射方向を再現することができ、より簡易且つ確実に快適な輻射暖房感を提供することができる。
【００２８】
（実施の形態２）
図４は、本発明の第２の実施の形態における空気調和機の室内ユニットの外観図で、図５は、同室内ユニットの輻射暖房手段による照射シーンを示す図で、図６は、同空気調和機の制御方法を示すブロック図である。なお、上記実施の形態と同一部分については同一符号を付してその説明を省略する。
【００２９】
本実施の形態では、図４に示すように室内ユニット１に、第１の実施の形態における輻射暖房手段２を２個設けたもので、以下、説明の都合上、一方を第１の輻射暖房手段２ｅ、他方を第２の輻射暖房手段２ｆとして、説明する。
【００３０】
図５（ａ）は居住者が１人在室の場合、（ｂ）は居住者が２人在室の場合の照射シーンの一例である。
【００３１】
図５（ａ）において、居住者が１人在室の場合は、第１、第２の輻射暖房手段２ｅ、２ｆの各照射方向を暖まりにくい一人の居住者の足元付近の照射領域Ａに集中させ、窓際等の特に冷えた場所でもより強力な輻射熱を照射することができ、より快適な輻射暖房感を与えることができる。
【００３２】
又、図５（ｂ）に示すように、居住者が２人在室の場合は、第１の輻射暖房手段２ｅは一方の居住者の足元付近の照射領域Ｂに照射方向を向け、第２の輻射暖房手段２ｆは他方の居住者の足元付近の照射領域Ｃに照射方向を向けることによって、室内に在室する２人の居住者に対して、同時に輻射暖房感を与えることができる。なお、輻射暖房手段の設置
数は２つに限定されず、３つ以上を設置することにより、複数人の居住者に対して同時に輻射暖房感を与えることができる。
【００３３】
以上のように、本実施の形態においては、複数の輻射暖房手段を備え、各照射方向を個別に変化させることにより、室内に居住者が複数人在室している場合においても各居住者に対して個別に輻射暖房の照射ができることとなり、複数の居住者に対して同時に快適な輻射暖房感を提供することができる。
【００３４】
図６において、７は、居住者が室内気温の目標値を設定する目標温度設定手段、８は、室内気温検出手段６で検出された室内気温が目標温度設定手段７で設定された設定温度になるように空気調和機の暖房能力を制御する空調能力制御手段、９は、居住者が第１の輻射暖房手段２ｅ及び第２の輻射暖房手段２ｆのＯＮ／ＯＦＦ及び出力の強弱を個別に設定する輻射出力設定手段、１０ａ及び１０ｂは、輻射出力設定手段９で設定された出力になるように第１の輻射暖房手段２ｅおよび第２の輻射暖房手段２ｆのそれぞれの出力を制御する輻射出力制御手段、１１は、居住者が第１、第２の輻射暖房手段２ｅ、２ｆの各照射方向を個別に調節、設定する照射方向設定手段、３ａ及び３ｂは、照射方向設定手段１１で設定された照射方向になるように第１、第２の輻射暖房手段２ｅ、２ｆの各照射方向をそれぞれ変える照射方向可動手段、１３は、照射方向設定手段１１で設定された第１、第２の輻射暖房手段２ｅ、２ｆの各照射方向の組み合わせを記憶する照射方向記憶手段、１４は、照射方向記憶手段１３によって記憶された各照射方向の組み合わせの中から居住者が設定した照射方向の組み合わせを選択する照射方向選択手段である。
【００３５】
以上のように構成された空気調和機について、以下その動作、作用を説明する。
【００３６】
本実施の形態と、前記第１の実施の形態との違いは、照射方向を設定、記憶できる輻射暖房手段が１つではなく、２つ以上の輻射暖房手段について個別に照射方向が設定でき、各輻射暖房手段の照射方向の設定値の組み合わせを複数記憶し、その中から希望の照射方向の組み合わせを選択、再現できることである。
【００３７】
なお、個々の構成要素の動作、作用は前述の第１の実施の形態と同様である。例えば、図５（ａ）のように居住者が１人在室の場合、第１、第２の輻射暖房手段２ｅ、２ｆの各照射方向が居住者の足元に向くように、居住者は照射方向設定手段１１で第１、第２の輻射暖房手段２ｅ、２ｆの各照射方向を設定する。この時、居住者がリモコンの操作スイッチ等で現在の各照射方向の記憶を指示すると、第１、第２の輻射暖房手段２ｅ、２ｆの各照射方向のデータが組み合わせとして照射方向記憶手段１３に記憶される。
【００３８】
また、図５（ｂ）のように居住者が２人在室の場合、第１、第２の輻射暖房手段２ｅ、２ｆの各照射方向がそれぞれ、各居住者の足元に向くように、居住者は照射方向設定手段１１で第１、第２の輻射暖房手段２ｅ、２ｆの各照射方向を設定する。この時、居住者がリモコンの操作スイッチ等で現在の各照射方向の記憶を指示すると、第１、第２の輻射暖房手段２ｅ、２ｆの各照射方向のデータの組み合わせが照射方向記憶手段１３によって記憶される。
【００３９】
そして、居住者の人数や位置が変化した際には、記憶された複数の各照射方向の組み合わせの中から居住者が希望する各照射方向の組み合わせをリモコンの操作スイッチ等で構成された照射方向選択手段１４によって選択することにより、記憶された各照射方向の組み合わせを容易に再現することができる。
【００４０】
以上のように、本実施の形態においては、照射方向記憶手段１３によって普段よく使用する複数の輻射暖房手段の各照射方向の組み合わせを予め記憶しておくことにより、居住
者の人数や居住者の位置が変化しても、各輻射暖房手段の照射方向をそれぞれ調節する手間を要することなく容易に再現されることになり、より簡易且つ確実に１人ないし複数人の居住者に対して快適な輻射暖房感を提供することができる。
【産業上の利用可能性】
【００４１】
以上のように、本発明にかかる空気調和機は、室内での居住者の位置や人数が変化しても、輻射暖房の照射方向を操作する手間をできるだけ少なくし且つ確実に快適な輻射暖房感を提供することができると共に、複数の各居住者に対しても個別に輻射暖房を照射して快適な輻射暖房感を提供することができるもので、壁掛けタイプの室内機に限らず、天井や壁への埋め込みタイプ、床置きタイプの空気調和機、暖房装置さらには、輻射暖房機器単体での用途にも適用できる。
【図面の簡単な説明】
【００４２】
【図１】本発明の実施の形態１における空気調和機の室内ユニットの断面図
【図２】同室内ユニットの外観図
【図３】同室内ユニットの輻射暖房手段の制御方法を示すブロック図
【図４】本発明の実施の形態２における空気調和機の室内ユニットの外観図
【図５】（ａ）同室内ユニットの輻射暖房手段で１人を照射する場合を示す図、（ｂ）同輻射暖房手段で２人を照射する場合を示す図
【図６】同輻射暖房手段の制御方法を示すブロック図
【符号の説明】
【００４３】
１    室内ユニット
２    輻射暖房手段
２ｅ  第１の輻射暖房手段
２ｆ  第２の輻射暖房手段
３    照射方向可動手段
４    熱交換器
５    送風ファン
６    室内気温検出手段
７    目標温度設定手段
８    空調能力制御手段
９    輻射出力設定手段
１０  輻射出力制御手段
１１  照射方向設定手段
１３  照射方向記憶手段
１４  照射方向選択手段
【図１】
2005156116.tif 000003
【図２】
2005156116.tif 000004
【図３】
2005156116.tif 000005
【図４】
2005156116.tif 000006
【図５】
2005156116.tif 000007
【図６】
2005156116.tif 000008